(57)【要約】【課題】  被検者等に不快感を与えることなく、体温の検出が終了したことを被検者に報知することが可能な電子体温計を提供することを目的とする。【解決手段】  実測式または平衡温度予測式の電子体温計であって、被検者の体温の検出を開始するための検温開始条件の成立（ステップＳ３０２のＹｅｓ）を契機として、所定の楽器音からなる音楽の出力を開始するよう制御する開始制御手段（ステップＳ３０４）と、前記被検者の体温の検出を開始してから一定時間経過し、体温の検出が終了したことを契機として、前記音楽の出力を停止するよう制御する停止制御手段（ステップＳ３０８）とを備える。【選択図】  図３
2008203096.tif 000002
【特許請求の範囲】
【請求項１】
実測式または平衡温度予測式の電子体温計であって、
被検者の体温の検出を開始するための検温開始条件の成立を契機として、所定の楽器音からなる音楽の出力を開始するよう制御する開始制御手段と、
前記被検者の体温の検出を開始してから一定時間経過し、体温の検出が終了したことを契機として、前記音楽の出力を停止するよう制御する停止制御手段と
を備えることを特徴とする電子体温計。
【請求項２】
被検者の体温に対応したアナログ信号を出力する体温計測手段と、
前記体温計測手段により出力されたアナログ信号をデジタルデータである温度データに変換し、時系列にメモリに記憶する記憶手段と、を備え、
前記記憶手段は、
前記温度データが、所定の温度値以上であり、かつ該温度データの上昇度が所定値以上であった場合に、検温開始条件が成立したと判断し、前記温度データの記憶を開始することで、前記被検者の体温の検出を開始することを特徴とする請求項１に記載の電子体温計。
【請求項３】
前記開始制御手段は、音楽の出力が開始された後、一定時間内に検出された前記被検者の体温が低下した場合には、検出された体温の上昇を契機として、出力中の前記音楽を停止させ、再度先頭から該音楽の出力を開始するよう制御することを特徴とする請求項１に記載の電子体温計。
【請求項４】
前記出力される音楽の音量を制御する音量制御手段を更に備えることを特徴とする請求項１に記載の電子体温計。
【請求項５】
前記音量制御手段により制御された音量を表示する表示手段を更に備えることを特徴とする請求項４に記載の電子体温計。
【請求項６】
実測式または平衡温度予測式の電子体温計であって、
所定の報知を行う機器と通信する通信手段と、
被検者の体温の検出を開始するための検温開始条件の成立を契機として、前記通信手段を介して、前記機器が所定の報知を開始するよう制御する開始制御手段と、
前記被検者の体温の検出を開始してから一定時間経過し、体温の検出が終了したことを契機として、前記通信手段を介して、前記機器が所定の報知を停止するよう制御する停止制御手段と
を備えることを特徴とする電子体温計。
【請求項７】
実測式または平衡温度予測式の電子体温計の制御方法であって、
被検者の体温の検出を開始するための検温開始条件の成立を契機として、所定の楽器音からなる音楽の出力を開始するよう制御する開始制御工程と、
前記被検者の体温の検出を開始してから一定時間経過し、体温の検出が終了したことを契機として、前記音楽の出力を停止するよう制御する停止制御工程と
を備えることを特徴とする電子体温計の制御方法。
【請求項８】
実測式または平衡温度予測式の電子体温計の制御方法であって、
所定の報知を行う機器と通信する通信工程と、
被検者の体温の検出を開始するための検温開始条件の成立を契機として、前記通信工程を介して、前記機器が所定の報知を開始するよう制御する開始制御工程と、
前記被検者の体温の検出を開始してから一定時間経過し、体温の検出が終了したことを契機として、前記通信工程を介して、前記機器が所定の報知を停止するよう制御する停止制御工程と
を備えることを特徴とする電子体温計の制御方法。
【発明の詳細な説明】
【技術分野】
【０００１】
本発明は、電子体温計に関するものである。
【背景技術】
【０００２】
従来より、電子体温計として、実測式と平衡温度予測式の電子体温計が知られている。実測式の電子体温計は、平衡温度に到達するまで継続して体温の検出を行う方式の電子体温計であり、被検者の体温を正確に求めることができるという利点がある。
【０００３】
一方、平衡温度予測式の電子体温計は、検出温度が上昇している途中段階において、平衡温度を予測演算するものであり、被検者の体温を短時間で求めることができるという利点がある。
【０００４】
いずれの方式の電子体温計も、通常は、被検者の体温の検出が終了すると電子音のブザーを鳴動させたり、振動を発生させたりすることで、被検者や看護士等（以下、被検者等と称す）に体温の検出が終了したことを知らせている（例えば、下記特許文献１参照）。
【特許文献１】特開平１１−３０４５９７号公報
【発明の開示】
【発明が解決しようとする課題】
【０００５】
しかしながら、体温の検出が終了した際に、突然、電子音のブザーが鳴動したり、振動が発生したりすることは、被検者にとって不快である。
【０００６】
本発明は、上記課題に鑑みてなされたものであり、被検者等に不快感を与えることなく、体温の検出が終了したことを被検者に報知することが可能な電子体温計を提供することを目的とする。
【課題を解決するための手段】
【０００７】
上記の目的を達成するために本発明に係る電子体温計は以下のような構成を備える。即ち、
実測式または平衡温度予測式の電子体温計であって、
被検者の体温の検出を開始するための検温開始条件の成立を契機として、所定の楽器音からなる音楽の出力を開始するよう制御する開始制御手段と、
前記被検者の体温の検出を開始してから一定時間経過し、体温の検出が終了したことを契機として、前記音楽の出力を停止するよう制御する停止制御手段とを備える。
【発明の効果】
【０００８】
本発明によれば、被検者等に不快感を与えることなく、体温の検出が終了したことを被検者に報知することが可能な電子体温計を提供することができる。
【発明を実施するための最良の形態】
【０００９】
はじめに本発明の概要について説明する。本発明にかかる電子体温計は、体温の検出（検温）が終了したことを被検者等に知らせるために、所定の楽器音からなる音楽を利用する点に特徴がある。これにより、従来の電子音によるブザーや振動と比べ、被検者等に与える不快感を低減させることができる。
【００１０】
また、本発明にかかる電子体温計は、体温の検出が終了した際に被検者等に報知を行うのではなく、体温検出中に音楽を出力し、体温の検出が終了した際に音楽の出力を停止することで、被検者等に体温の検出が終了したことを知らせる。
【００１１】
このため、従来の電子体温計のように、体温の検出が終了した際に、突然、電子音のブザーが鳴動するといったことがなくなり、被検者等に与える不快感を低減させることができる。更に、体温検出中に出力される音楽を聴くことで、被検者等は、体温の検出の終了タイミングをある程度予測できるという効果もある。
【００１２】
また、本発明にかかる電子体温計は、検温開始条件が成立し、検温を開始してから音楽の出力を開始する。つまり、電源をＯＮして被検者が電子体温計を腋下に挟んだ際に、正しく挟まれず、検温開始条件が成立しなかった場合には、音楽の出力が開始されない。このため、被検者等は、音楽の出力が開始されないことをもって、電子体温計が正しく腋下に挟まれていないことを認識することができるという効果もある。
【００１３】
更に、平衡温度予測式の電子体温計にあっては、検温開始条件成立後の一定時間内に、検出温度が低下した場合には、再度検出温度が上昇すると、出力中の音楽がリスタートされる。つまり、検温開始後に、被検者が動くなどして、平衡温度の予測演算に悪影響を及ぼすような状況となった場合に、電子体温計が検温をやり直す際には、音楽の出力がリスタートされることとなる。このため、被検者等は、音楽の出力がリスタートされたことをもって、電子体温計内において検温のやり直しが行われていることを知ることができる。
【００１４】
以下、本発明の各実施形態について図面を参照しながら説明する。
【００１５】
［第１の実施形態］
１．電子体温計の外観構成
図１は、本発明の一実施形態にかかる電子体温計１００の外観構成を示す図であり、図１（ａ）は平面図、図１（ｂ）は側面図をそれぞれ示している。１０１は本体ケースで、後述する演算制御部２２０等の電子回路、電池（電源部）２４０等が収納される。
【００１６】
１０２は、ステンレス製の金属キャップで、内部には被検者の体温を検出するためのサーミスタ２１３（図２参照）等が内蔵されている。１０３は電源ＯＮ／ＯＦＦスイッチであり、１回押圧すると電源がＯＮとなり、再度押圧すると電源がＯＦＦとなる。
【００１７】
１０４は表示部であり、計測された被検者の体温を表示する。１０５は音楽出力部であり、演算制御部２２０における処理に基づいて、音楽を出力する。
【００１８】
２．電子体温計の機能構成
図２は本実施形態にかかる電子体温計１００の機能構成を示す内部ブロック図である。
【００１９】
電子体温計１００は、体温に応じた発振信号（アナログ信号）を出力する体温検出部２１０と、体温検出部２１０より出力された発振信号に基づいて各種演算を行うと共に電子体温計１００全体の動作を制御する演算制御部２２０と、被検者の体温を表示する表示部２３０と、音楽を出力する音楽出力部２３１と、電源部２４０を備える。
【００２０】
体温検出部２１０は、並列に接続された感温部に設置されたサーミスタ２１３、２１５及びコンデンサ２１４と、測温用ＣＲ発振回路２１１とを備え、被検者の体温に応じた発振信号を、測温用ＣＲ発振回路２１１より出力する。なお、体温検出部２１０に示す構成は一例であり、本発明はこれに限定されるものではない。
【００２１】
演算制御部２２０は、測温用ＣＲ発振回路２１１より出力される発振信号をカウントすることで、該発振信号をデジタルデータ（温度データ）として出力するカウンタ２１６と、温度データを時系列で記憶するためのＲＡＭ２２３と、平衡温度の予測演算などを行うプログラムを格納したＲＯＭ２２２と、所定の楽器音からなる音楽データを格納したＥＥＰＲＯＭ２２２ａと、ＲＯＭ２２２のプログラムに従った演算や音楽データの出力を行う演算処理部２２１と、表示部２３０を制御するための表示制御部２３０ｄとを備える。
【００２２】
更に、演算制御部２２０は、上記カウンタ２１６、表示制御部２３０ｄ、演算処理部２２１、体温検出部２１０を制御する制御回路２５０を備える。
【００２３】
３．電子体温計における処理の流れ
次に本実施形態にかかる電子体温計１００における処理の流れを図３及び図４を用いて説明する。
【００２４】
図３は、本実施形態にかかる電子体温計１００における処理の流れを示すフローチャートであり、図３（Ａ）は、実測式の電子体温計の処理の流れを、図３（Ｂ）は、平衡温度予測式の電子体温計の処理の流れをそれぞれ示している。
【００２５】
また、図４は、電源ＯＮ／ＯＦＦスイッチ１０３をＯＮしてから検温終了までに電子体温計にて計測された温度データの変化と、処理の内容とを対応付けて示した図であり、図４（Ａ）は、実測式の電子体温計について、図４（Ｂ）は、平衡温度予測式の電子体温計についてそれぞれ示している（横軸は時間（秒）を、縦軸は温度データの値を示している）。
【００２６】
３．１  実測式の電子体温計における処理の流れ
電子体温計１００の電源がＯＮされると温度の計測が開始される。具体的には、測温用ＣＲ発振回路２１１より温度に応じた発振信号が出力され、カウンタ２１６より温度データの出力が開始される（図３のステップＳ３０１、図４（Ａ）の４０１）。カウンタ２１６より出力される温度データは、電源ＯＮ直後は周辺温度に等しいが、被検者の腋下に挟まれることにより、図４（Ａ）に示すように、上昇を開始する。
【００２７】
電子体温計１００では、ステップＳ３０２において、検温開始条件が成立したか否かの監視を行う。検温開始条件は、カウンタ２１６より出力される温度データが、所定の温度（例えば、３０℃。図４（Ａ）の４０２参照）を超えており、温度上昇度が所定値（例えば、１秒間に０．１℃）以上である場合に成立したと判断する。
【００２８】
ステップＳ３０２において、検温開始条件が成立したと判断された場合には、ステップＳ３０３に進み、検温を開始する（図４（Ａ）の４０３）。具体的には、カウンタ２１６より出力された温度データをＲＡＭ２２３に時系列で記憶する。
【００２９】
更にステップＳ３０４では、音楽出力を開始する（図４（Ａ）の４０４）。具体的には、ＥＥＰＲＯＭ２２２ａに格納されている音楽データを読み出し、音楽出力部２３１より出力する。以降、一定時間が経過するまで所定の楽器音からなる音楽（例えば、クラシック音楽）が継続的に出力される。なお、被検者等は、当該音楽の進み具合に基づいて、あとどれくらいで検温が終了するかをある程度予測することができる。
【００３０】
ステップＳ３０５では、検温開始から一定時間（例えば、６００秒）が経過したか否かを判定し、一定時間が経過したと判定された場合には、ステップＳ３０６に進み、検温を終了する（図４（Ａ）の４０５）。更に、ステップＳ３０７において音楽出力を停止する（図４（Ａ）の４０６）。
【００３１】
ステップＳ３０８では、検出された平衡温度を表示部２３０に表示する。最後に電子体温計１００の電源がＯＦＦされると温度の計測が終了する。
【００３２】
３．２  平衡温度予測式の電子体温計の処理の流れ
電子体温計１００の電源がＯＮされると温度の計測が開始される。具体的には、測温用ＣＲ発振回路２１１より温度に応じた発振信号が出力され、カウンタ２１６より温度データの出力が開始される（図３（Ｂ）のステップＳ３１１、図４（Ｂ）の４１１）。カウンタ２１６より出力される温度データは、電源ＯＮ直後は周辺温度に等しいが、被検者の腋下に挟まれることにより、図４（Ｂ）に示すように、上昇を開始する。
【００３３】
電子体温計１００では、ステップＳ３１２において、検温開始条件が成立したか否かの監視を行う。検温開始条件は、カウンタ２１６より出力される温度データが、所定の温度（例えば、３０℃。図４（Ｂ）の４１２参照）を超えており、温度上昇度が所定値（例えば、１秒間に０．１℃）以上である場合に成立したと判断する。
【００３４】
ステップＳ３１２において、検温開始条件が成立したと判断された場合には、ステップＳ３１３に進み、検温を開始する（図４（Ｂ）の４１３）。具体的には、カウンタ２１６より出力された温度データをＲＡＭ２２３に時系列で記憶する。
【００３５】
更にステップＳ３１４では、音楽出力を開始する（図４（Ｂ）の４１４）。具体的には、ＥＥＰＲＯＭ２２２ａに格納されている音楽データを読み出し、音楽出力部２３１より出力する。
【００３６】
ステップＳ３１５では、ＲＡＭ２２３に時系列で記憶された温度データに基づいて、平衡温度の予測値を演算する。なお、平衡温度の予測値の演算方法は公知であるため、ここでは説明は省略する。
【００３７】
ステップＳ３１６では、検温開始から一定時間（例えば、３０秒）が経過したか否かを判定し、一定時間が経過したと判定された場合には、ステップＳ３１７に進み、検温を終了する（図４（Ｂ）の４１５）。更に、ステップＳ３１８において音楽出力を停止する（図４（Ｂ）の４１６）。
【００３８】
ステップＳ３１９では、演算された平衡温度の予測値を表示部２３０に表示する。最後に電子体温計１００の電源がＯＦＦされると温度の計測が終了する。
【００３９】
以上の説明から明らかなように、本実施形態にかかる電子体温計は、体温の検出が終了したことを被検者等に知らせるために、所定の楽器音からなる音楽を出力する構成とした。この結果、従来の電子音によるブザーや振動と比べ、被検者等に与える不快感を低減させることが可能となった。
【００４０】
また、本実施形態にかかる電子体温計は、体温の検出が終了した際に被検者等に報知を行うのではなく、体温検出中に音楽を出力し、体温の検出が終了した際に音楽の出力を停止することで、被検者等に体温の検出が終了したことを知らせる構成とした。
【００４１】
この結果、従来の電子体温計のように、体温の検出が終了した際に、突然、電子音のブザーが鳴動するといったことがなくなり、被検者等に与える不快感を低減させることが可能となった。更に、体温検出中に出力される音楽を聴くことで、被検者等が、体温の検出の終了タイミングをある程度予測することが可能となった。
【００４２】
また、本実施形態にかかる電子体温計は、検温開始条件が成立し、検温を開始してから音楽の出力を開始する構成とした。この結果、被検者等は、音楽の出力が開始されないことをもって、電子体温計が正しく腋下に挟まれていないことを認識することが可能となった。
【００４３】
［第２の実施形態］
上記第１の実施形態では、検温開始条件が成立すると音楽の出力を開始し、検温終了まで継続することとしたが、本発明は特にこれに限られない。平衡温度予測式の電子体温計の場合、検温開始後に体動があると、平衡温度の予測精度に悪影響を及ぼすことが考えられる。このような場合に、音楽の出力をリスタートさせる（途中まで出力された音楽を一旦停止させ、音楽データの先頭から再度、音楽出力を開始させる）構成としてもよい。
【００４４】
かかる構成にすることで、音楽の出力が開始された後に音楽のリスタートがあった場合、被検者は、自身の体動が原因で温度データの上昇／下降が繰り返されていると認識することができ、間接的に被検者に注意を促すことが可能となる。以下、本実施形態の詳細を説明する。
【００４５】
本実施形態にかかる電子体温計１００における処理の流れを図５及び図６を用いて説明する。
【００４６】
図５は、本実施形態にかかる平衡温度予測式の電子体温計１００における処理の流れを示すフローチャートであ。
【００４７】
また、図６は、電源をＯＮしてから一定時間内における平衡温度予測式の電子体温計の温度データの変化と、処理の内容とを対応付けて示した図である（横軸は時間（秒）を、縦軸は温度データの値を示している）。
【００４８】
電子体温計１００の電源がＯＮされると温度の計測が開始される。具体的には、測温用ＣＲ発振回路２１１より温度に応じた発振信号が出力され、カウンタ２１６より温度データの出力が開始される（図５のステップＳ５０１、図６の６０１）。カウンタ２１６より出力される温度データは、電源ＯＮ直後は周辺温度に等しいが、被検者の腋下に挟まれることにより、図６（Ｂ）に示すように、上昇を開始する。
【００４９】
電子体温計１００では、ステップＳ５０２において、検温開始条件が成立したか否かの監視を行う。検温開始条件は、カウンタ２１６より出力される温度データが、所定の温度（例えば、３０℃。図６の６０２参照）を超えており、温度上昇が所定値（例えば、１秒間に０．１℃）以上である場合に成立したと判断する。
【００５０】
ステップＳ５０２において、検温開始条件が成立したと判断された場合には、ステップＳ５０３に進み、検温を開始する（図６の６０３）。具体的には、カウンタ２１６より出力された温度データをＲＡＭ２２３に時系列で記憶する。
【００５１】
更にステップＳ５０４では、音楽出力を開始する（図６の６０４）。具体的には、ＥＥＰＲＯＭ２２２ａに格納されている音楽データを読み出し、音楽出力部２３１より出力する。
【００５２】
ここで、本実施形態にかかる平衡温度予測式の電子体温計１００は、検温開始後、一定時間（非演算時間６０５）経過してから平衡温度の予測演算を開始するよう構成されている。一般に、検温開始後は、体動による検出温度の変動が多いことが経験的に知られており、検温開始後のこのような検出温度の変動が平衡温度の予測演算に使用されると、予測精度が著しく悪化することとなるからである。
【００５３】
ステップＳ５０５では、非演算時間（例えば、１０秒）が経過したか否かを判定し、非演算時間を経過していないと判定された場合には、ステップＳ５０６に進み、検出温度が低下したか否かを判定する。
【００５４】
ステップＳ５０６において検出温度が低下したと判定された場合には、検出温度が上昇するまで待機し、再び上昇しはじめたら、ＲＡＭ２２３に記憶されている温度データをクリアし、ステップＳ５０３に戻り、検温を再開する（図６の６０６）。この場合、ステップＳ５０４において再度音楽出力が開始される（図６の６０７）。つまり、既に音楽出力が開始されていた場合には、一旦音楽出力が停止され（図６の６０８）、音楽データの先頭から、リスタートされることとなる。
【００５５】
一方、ステップＳ５０５において、非演算時間が経過したと判定された場合には、ステップＳ５０７に進み、ＲＡＭ２２３に時系列で記憶された温度データに基づいて、平衡温度の予測演算を行う。なお、平衡温度の予測演算方法は公知であるため、ここでは説明は省略する。
【００５６】
ステップＳ５０８では、検温開始（図６の６０６）から一定時間（例えば、３０秒）が経過したか否かを判定し、一定時間が経過したと判定された場合には、ステップＳ５０９に進み、検温を終了する。更に、ステップＳ５１０において音楽出力を停止する。
【００５７】
ステップＳ５１１では、演算された平衡温度の予測値を表示部２３０に表示する。最後に電子体温計１００の電源がＯＦＦされると温度の計測が終了する。
【００５８】
以上の説明から明らかなように、本実施形態にかかる平衡温度予測式の電子体温計によれば、上記第１の実施形態と同様の効果が得られる。
【００５９】
更に、本実施形態にかかる平衡温度予測式の電子体温計の場合、検温開始条件成立後の一定時間（非演算時間）内に、検出温度が低下した場合には、再度検出温度が上昇した際に、音楽がリスタートされる構成となっている。つまり、検温開始後に、被検者の体動があり、平衡温度の予測演算に悪影響を及ぼすような状況になると、音楽のリスタートが行われることとなる。このため、被検者等は、音楽のリスタートにより、電子体温計において検温のやり直しがなされていることを知ることができる。
【００６０】
［第３の実施形態］
上記第１、２の実施形態では、音楽データは予めＥＥＰＲＯＭ２２２ａに格納されていることとしたが、本発明は特にこれに限られない。例えば、外部通信部を設けることで、被検者が音楽データをダウンロードし、ＥＥＰＲＯＭ２２２ａに格納するようにしてもよい。
【００６１】
また、上記第１、２の実施形態では、出力される音楽の音量調整機能について特に言及しなかったが、出力される音楽の音量（ｄＢ）を調整する機能を設けても良い。また、調整された音量は、表示部２３０にその音量値を表示するようにしてもよい。
【００６２】
また、上記第１、２の実施形態では音楽出力部２３１を設け、検温開始から検温終了までの間、音楽を出力する構成としたが、本発明は特にこれに限られない。例えば、音楽を出力する外部機器と通信する外部通信部を設け、検温開始時に、該外部機器に対して音楽出力の開始を指示し、検温終了時に、該外部機器に対して音楽の出力を終了するよう指示する構成としてもよい。
【００６３】
この場合、外部機器は、音楽の出力を目的としたものに限られず、例えば、映像の出力を目的とした機器（テレビ、ビデオカメラ）等、被検者等に対する報知を目的とした機器であればどのような機器であってもよい。
【図面の簡単な説明】
【００６４】
【図１】本発明の一実施形態にかかる電子体温計の外観構成を示す図である。
【図２】電子体温計の機能構成を示す図である。
【図３】本発明の第１の実施形態にかかる電子体温計１００における処理の流れを示すフローチャートである。
【図４】電源をＯＮしてから検温終了までの電子体温計の温度データの変化と、処理の内容とを対応付けて示した図である。
【図５】本発明の第２の実施形態にかかる平衡温度予測式の電子体温計１００における処理の流れを示すフローチャートである。
【図６】電源をＯＮしてから一定時間内における平衡温度予測式の電子体温計の温度データの変化と、処理の内容とを対応付けて示した図である。
【図１】
2008203096.tif 000003
【図２】
2008203096.tif 000004
【図３】
2008203096.tif 000005
【図４】
2008203096.tif 000006
【図５】
2008203096.tif 000007
【図６】
2008203096.tif 000008